(57)【特許請求の範囲】
【請求項１】
有底円筒形に形成された回転ドラムと、回転軸方向が水平または水平方向から下向き傾斜となるように前記回転ドラムを内部に配設する水槽と、前記回転ドラムを回転駆動するモータと、前記モータ等を制御して洗い行程、すすぎ行程などを制御する制御手段と、前記水槽内の水を排水する排水経路と、前記排水経路の下流側に設けた異物を回収する異物フィルターと、この異物フィルターを保持するフィルター保持部と、前記水槽からオーバーフローした水を排水するための溢水経路と、前記フィルター保持部から機外に排水する外部排水経路とを備え、前記排水経路および前記溢水経路からの排水をそれぞれ前記異物フィルターおよびフィルター保持部を介して、外部排水経路から機外に排水する構成とし、フィルター保持部へ接続される溢水経路からの溢水接続口と、前記フィルター保持部へ接続される排水経路からの排水接続口とを有し、前記溢水接続口を排水接続口より上位に設け、前記溢水接続口と排水接続口の間の位置に、外部排水経路の外部排水接続口を設けたドラム式洗濯機。
【発明の詳細な説明】
【技術分野】
【０００１】
本発明は、糸くず等の異物を捕捉し、機外に排出させない構成のドラム式洗濯機に関するものである。
【背景技術】
【０００２】
従来、この種のドラム式洗濯機では、排水構造に洗濯物に含まれる異物を機外に流出させないよう異物フィルターを備える構成が一般的に採用されてきた（例えば、特許文献１参照）。
【０００３】
図２及び図３は、特許文献１に記載された従来例１のドラム式洗濯機の構成図である。
【０００４】
図２、３に示すように、ドラム式洗濯機２１は、水槽２３内に回転ドラム２２を収容し回転ドラム２２の回転軸２４を水槽２３の背面に設けられた軸受２６で軸支すると共に回転軸２４にドラム駆動のモータ２７を連結して構成されている。
【０００５】
この水槽２３は、洗濯機本体２８内に前上がりの状態に傾斜させて配設され、洗濯機本体２８の底部に取り付けられた左右一対の防振ダンパー２９によって、その重量が弾性支持されている。また、洗濯機本体２８の前面には、回転ドラム２２への洗濯物の出し入れを行う際に開閉する蓋体２５が設けられている。
【０００６】
また、水槽２３の底部２３ａには、蛇腹状のゴムホース等で構成した排水経路３０の一端が接続され、その排水経路３０の他端は、内部に異物フィルター３７を収容し排水された洗濯水中の異物や糸屑を回収する回収ボックス３１の背面に一体に形成した回収ボックス流入口３１ａに接続されている。
【０００７】
さらに回収ボックス３１の側面には、中心軸が略水平方向（ドラム式洗濯機２１の正面側から見て横方向）に延びた円筒状の排水管路３２が接続され、前記回収ボックス３１と排水管路３２は、一体に成型されている。
【０００８】
排水管路３２には図３に示すように、回収ボックス３１に接続する径小部３２ａと、その反対側の径大部３２ｂが設けられ、径小部３２ａと径大部３２ｂの繋ぎ部分が排水口（排水管路３２の開口部）３２ｃをなしている。径大部３２ｂの内部には、ゴム等成型された排水弁３２ｄが設けられ、ギアドモータ（図示せず）の駆動により伸縮し排水路の開閉をする。
【０００９】
一方、水槽２３の前面部２３ｂには、水槽２３の底部２３ａより所定の水位高さ位置（Ａ）に、溢水管路３４の一端が接続され、水槽２３内に所定高さ以上の洗濯水が給水された場合、その溢れた洗濯水が溢水管路３４に溢水（オーバフロー）され排水されるように構成している。
【００１０】
さらに、排水管路３２には略上方向に円筒状に延びた溢水管路接続部３３ａと、略下方向に円筒状に延びた外部排水管接続部３３ｂとが設けられて、溢水管路接続部３３ａには、前記溢水管路３４の他端が接続され、外部排水管接続部３３ｂには、洗濯機本体２８の外に排水するための外部排水経路３５が接続されている。
【００１１】
溢水管路接続部３３ａと外部排水管接続部３３ｂとは、略同一径でその中心軸が略同一線上にあり、その中心軸が排水管路３２の中心軸と交差しない位置で、かつ、その内径部の少なくとも一部が、排水管路３２の内径部とオーバーラップするように構成している。
【００１２】
従って、水槽２３底部２３ａからの排水は、一旦回収ボックス３１内部に流入し、その後外部排水管接続部３３ｂより外部排水経路３５に流れる。
【００１３】
水槽２３の底部２３ａからの排水は、異物フィルターの回収ボックス３１内部と連通しているので排水に含まれた異物等が捕捉されるが、水槽２３の溢水管路３４からの溢水は、異物フィルター３７とは関係なく、溢水管路接続部３３ａと外部排水管接続部３３ｂより直接外部排水経路３５に流出するので、溢水に含まれる異物はそのまま機外に排出される。
【００１４】
図４は、図２の従来例１と異なり、溢水部からの排水に含まれる異物もフィルターで捕捉する構成の従来例２のドラム式洗濯機の構成図である。
【００１５】
図４において、水槽２３内の洗剤成分の含まれた水の排水は、水槽２３の底部２３ａに接続する排水経路３０の排水弁３６を開放し、前記排水弁３６の下流側で、異物フィルター３７を保持する回収ボックス３１に配管し、前記回収ボックス３１の底部の外部排水経路３５より洗濯機外に排出する。
【００１６】
一方、前記水槽２３前部の溢水口２３ｂから溢水した水の排水は、溢水経路３４の下端を、異物フィルター３７の回収ボックス３１の流入側近傍の合流部３８に接続し、排水経路３０からの排水と同様に下流側の回収ボックス３１の底部の外部排水経路３５より洗濯機外に排出する。
【００１７】
従って、前記排水経路３０を通る前記水槽２３内の水と溢水経路３４を通る前記水槽２３内の水に含まれる糸くず等の異物を共に、異物フィルター３７で取り除き、外部排水経路３５を介して洗濯機外に排出していた。
【００１８】
なお、図２の従来例１および図４の従来例２共に、洗濯機本体２８を設置した洗濯機置き場等の床面２０下には、下水管等からの異臭が逆流しないように床下排水管１９との間に排水トラップ１０を設ける構成が一般的で多用されている。
【先行技術文献】
【特許文献】
【００１９】
【特許文献１】特開２０１０−８２０８７号公報
【発明の概要】
【発明が解決しようとする課題】
【００２０】
しかしながら、図２の従来例１の構成では、溢水管路３４から溢水した水が直接排水経路３５に流れ、機外に排出されるため、設置床面に排水トラップ１０を設けた設置条件の場合、排水トラップ１０の異物つまりを引き起こすという課題があった。
【００２１】
また、図４の従来例２の構成では、排水経路３０を通る水と溢水管路３４を通る水が、合流部３８で合流して回収ボックス３１より外部排水管３５で機外に排水されるため、外部排水管３５およびその先の排水系で異物詰まり等の流量不足状態になった場合や、水槽２３内の圧力が下がると、排水経路３０からの異物フィルター３７を経由しない水が溢水管路３４に逆流し、溢水管路３４内部に異物をつまらせるという課題があった。
【課題を解決するための手段】
【００２２】
前記従来の課題を解決するために、本発明のドラム式洗濯機は、有底円筒形に形成された回転ドラムと、回転軸方向が水平または水平方向から下向き傾斜となるように前記回転ドラムを内部に配設する水槽と、前記回転ドラムを回転駆動するモータと、前記モータ等を制御して洗い行程、すすぎ行程などを制御する制御手段と、前記水槽内の水を排水する排水経路と、前記排水経路の下流側に設けた異物を回収する異物フィルターと、この異物フィルターを保持するフィルター保持部と、前記水槽からオーバーフローした水を排水するための溢水経路と、前記フィルター保持部から機外に排水する外部排水経路とを備え、前記排水経路および前記溢水経路からの排水をそれぞれ前記異物フィルターおよびフィルター保持部を介して、外部排水経路から機外に排水する構成とし、フィルター保持部へ接続される溢水経路からの溢水接続口と、前記フィルター保持部へ接続される排水経路からの排水接続口とを有し、前記溢水接続口を排水接続口より上位に設け、前記溢水接続口と
排水接続口の間の位置に、外部排水経路の外部排水接続口を設けたものである。
【００２３】
これによって、前記水槽内の洗濯水の排水は、異物を除去した状態で排水するので、水槽内に含まれていた糸くず等の異物で、洗濯機設置床面等に構成された排水トラップのつまりを防止できる。
【発明の効果】
【００２４】
本発明のドラム式洗濯機は、糸くず等の異物が機外に排出され、ドラム式洗濯機の設置面等に構成された排水トラップを糸くず等の異物によって詰らせることを防止できる。
【図面の簡単な説明】
【００２５】
【図１】本発明の実施の形態におけるドラム式洗濯機の構成図
【図２】従来例１のドラム式洗濯機の構成図
【図３】従来例１のドラム式洗濯機の排水口周辺の部分構成図
【図４】従来例２のドラム式洗濯機の構成図
【発明を実施するための形態】
【００２６】
第１の発明は、有底円筒形に形成された回転ドラムと、回転軸方向が水平または水平方向から下向き傾斜となるように前記回転ドラムを内部に配設する水槽と、前記回転ドラムを回転駆動するモータと、前記モータ等を制御して洗い行程、すすぎ行程などを制御する制御手段と、前記水槽内の水を排水する排水経路と、前記排水経路の下流側に設けた異物を回収する異物フィルターと、この異物フィルターを保持するフィルター保持部と、前記水槽からオーバーフローした水を排水するための溢水経路と、前記フィルター保持部から機外に排水する外部排水経路とを備え、前記排水経路および前記溢水経路からの排水をそれぞれ前記異物フィルターおよびフィルター保持部を介して、外部排水経路から機外に排水する構成とし、フィルター保持部へ接続される溢水経路からの溢水接続口と、前記フィルター保持部へ接続される排水経路からの排水接続口とを有し、前記溢水接続口を排水接続口より上位に設け、前記溢水接続口と排水接続口の間の位置に、外部排水経路の外部排水接続口を設けたことにより、排水経路からの排水および溢水経路からのオーバーフローした水が、前記異物フィルターを通って異物を除去し外部排水経路に流れることによって、機外の排水トラップへの糸くず等の異物による詰まりを防止できる。
【００２７】
また、排水経路と排水経路は、それぞれ独立してフィルター保持部に接続されているので、排水経路から洗剤や異物の含まれた排水が、溢水経路に逆流した場合でも、洗濯水は異物フィルターを経由して溢水経路に流れる事によって異物は除去され溢水経路が糸くずなどの異物によって詰まることを防止できる。
【００２８】
また、フィルター保持部へ接続される溢水経路からの溢水接続口と、前記フィルター保持部へ接続される排水経路からの排水接続口とを有し、前記溢水接続口を排水接続口より上位に設け、前記溢水接続口と排水接続口の間の位置に、外部排水経路の外部排水接続口を設けたことにより、排水経路と溢水経路の二経路の圧力差が生じた場合でも、排水経路から洗剤成分を含んだ水が、溢水経路に逆流することなく、溢水経路への異物つまりが防止できる。
【００２９】
以下、本発明の実施の形態について、図面を参照しながら説明する。なお、従来例と同じ構成のものは同一符号を付して詳細説明を省略する。また、この実施の形態によって本発明が限定されるものではない。
【００３０】
（実施の形態１）
図１は、本発明の実施の形態１におけるドラム式洗濯機の縦断面図を示すものである。
【００３１】
図１に示すように、洗濯機本体１１の内部に揺動自在に水槽２が配設され、前記水槽２内には、回転ドラム１が回転自在に配設され、前記回転ドラム１は、正面側から底部となる背面側に向けて回転軸１７の方向が水平または水平方向から下向き傾斜となるように、水槽２の背面に外側より取り付けられたモータ３により回転駆動される。
【００３２】
また、本発明のドラム式洗濯機は、モード設定や制御プログラムに従い、図１に示すモータ３、給水系１２、排水弁１６、乾燥系１４などを自動制御して少なくとも洗い工程、すすぎ工程、脱水工程、乾燥工程を行う機能を有したいわゆるドラム式洗濯乾燥機を構成している。ただし、乾燥系１４は省略することができる。
【００３３】
給水系１２は、電磁弁（図示せず）の開閉によって実線矢印Ｃで示すように水槽２内部に適時に給水でき、また給水を利用して洗剤収容部１５の洗剤を洗濯水と共に水槽２内に適時に投入できるようになっている。
【００３４】
水槽２の底部下方の排水弁１６の開閉によって洗い工程終了時、すすぎ工程終了時など必要なときに一点鎖線矢印Ｂで示すように、水槽２の下部に接続された排水経路５を通って前記水槽２内の水を排水する。水槽２側面の溢水口１８から水位高さ位置（Ａ）を超える水量がオーバーフロー（溢水）した洗濯水は、溢水経路６より排水される。
【００３５】
糸くず等の異物を回収する異物フィルター７を内設するフィルター保持部８は、上方より前記溢水経路６と接続する溢水接続口６ａおよび、図で右方より排水弁１６を介して前記排水経路５と接続する排水接続口５ａおよび、下方に外部排水経路９と接続する外部排水接続口９ａを構成する。
【００３６】
また、上記外部排水接続口９ａは、溢水接続口６ａと排水接続口５ａとの略中間に位置するように構成する。
【００３７】
給水系１２で水槽２内に給水された水の排水は、前記排水経路５および排水弁１６に連接したフィルター保持部８内部の糸くず等の異物を回収する異物フィルター７内を通過し、糸くず等の異物を捕集し、除去された後排出される。
【００３８】
溢水経路６からのオーバーフロー（溢水）した洗濯水も、異物フィルター７内を通過し、糸くず等の異物を捕集した後外部排水経路９より排出される。
【００３９】
以上のように構成されたドラム式洗濯機について、以下その動作、作用を説明する。
【００４０】
排水経路５と溢水経路６とが直結することなく、それぞれが独立してフィルター保持部８に接続されるので、洗剤や異物の含まれた排水が、溢水経路６に逆流した場合でも、洗濯水は異物フィルター７を経由して溢水経路に流れる事によって異物は除去され、溢水経路が糸くずなどの異物によって詰まることを防止できる。
【００４１】
また、外部排水接続口９ａを、溢水接続口６ａと排水接続口５ａとの略中間の位置、かつ溢水接続口６ａを排水接続口５ａよりも上位に位置するように構成したので、排水経路５と溢水経路６の二経路の圧力差が生じた場合でも、排水経路５から排水される洗剤成分を含んだ水が、溢水経路６に流れ込むことがないため、溢水経路を詰らせることなく、外部排水経路９に排水される。
【００４２】
また、溢水経路６を通る水槽２内の水は、異物フィルター７を通過するので、糸くず等の異物が取り除かれた状態で、外部排水経路９を通り機外へ排水する。このため、排水トラップ１０がある設置条件の場合、排水トラップ１０に糸くず等の異物が詰まることは無い。
【００４３】
以上のように、本実施の形態では、排水経路または溢水経路から異物フィルターおよびフィルター保持部を介して、外部排水経路から機外に排水するので、溢水経路の異物つまり、および排水トラップへの異物流入が防止される。
【産業上の利用可能性】
【００４４】
以上のように、本発明にかかるドラム式洗濯機は、排水経路または溢水経路から異物フィルターおよびフィルター保持部を介して、外部排水経路から機外に排水するので、溢水経路の異物つまり、および排水トラップへの異物流入が防止できるので、各種の洗濯機に有用である。
【符号の説明】
【００４５】
１    回転ドラム
２    水槽
３    モータ
４    制御手段
５    排水経路
５ａ  排水接続口
６    溢水経路
６ａ  溢水接続口
７    異物フィルター
８    フィルター保持部
９    外部排水経路
９ａ  外部排水接続口
１０  排水トラップ
１１  洗濯機本体
１２  給水系
１６  排水弁
１７  回転軸
【図１】
0005671700.tif 000002
【図２】
0005671700.tif 000003
【図３】
0005671700.tif 000004
【図４】
0005671700.tif 000005